(57)【要約】【課題】フィルム型太陽電池の設置を容易にする架台の提供。【解決手段】フィルム型太陽電池架台２は、帯状のフィルム型太陽電池の架台である。この架台２は、フィルム型太陽電池の縁部を取り付ける一対の縁フレーム４と、それぞれの縁フレーム４の長手方向に一定ピッチでフィルム型太陽電池の縁部を取り付ける取付部１０とを備えている。一対の縁フレーム４は、幅方向に空間を形成して配置されている。好ましくは、この架台２は、縁フレーム４を連結する連結フレーム８を備えている。好ましくは、この架台２は、縁フレーム４が厚さ方向に凹凸する波形形状にされている。【選択図】図１
2019085697.tif 000002
【特許請求の範囲】
【請求項１】
帯状のフィルム型太陽電池の架台であって、
上記フィルム型太陽電池の縁部を取り付ける一対の縁フレームと、それぞれの縁フレームの長手方向に一定ピッチで上記フィルム型太陽電池の縁部を取り付ける取付部とを備えており、
上記一対の縁フレームが幅方向に空間を形成して配置されているフィルム型太陽電池架台。
【請求項２】
上記縁フレームを２以上の複数備えており、
それぞれの縁フレームと、幅方向に隣り合う他の縁フレームとを、連結する連結フレームを備えている請求項１に記載のフィルム型太陽電池架台。
【請求項３】
上記縁フレームが厚さ方向に凹凸する波形形状にされている請求項１又は２に記載のフィルム型太陽電池架台。
【請求項４】
ベースフレームを備えており、
上記縁フレームが上記ベースフレームに取り付けられている請求項３に記載のフィルム型太陽電池架台。
【請求項５】
上記縁フレームが厚さ方向に凸状に形成される上湾曲部を支持する起立支持フレームを備えている請求項３又は４に記載のフィルム型太陽電池架台。
【請求項６】
上記縁フレームを支持する起立支持フレームと、幅方向に隣り合う他の縁フレームを支持する他の起立支持フレームとを、連結する起立連結フレームを備えている請求項５に記載のフィルム型太陽電池架台。
【請求項７】
帯状のフィルム形太陽電池と上記フィルム形太陽電池が取り付けられるフィルム型太陽電池架台とを備える太陽光発電装置であって、
上記フィルム型太陽電池架台が、
上記フィルム型太陽電池の縁部を取り付ける一対の縁フレームと、それぞれの縁フレームの長手方向に一定ピッチで上記フィルム型太陽電池の縁部を取り付ける取付部とを備えており、
上記一対の縁フレームが幅方向に空間を形成して配置されている太陽光発電装置。
【発明の詳細な説明】
【技術分野】
【０００１】
本発明は、フィルム型太陽電池を設置する架台に関する。
【背景技術】
【０００２】
特開２０１７−１５０１８６公報には、太陽光発電パネルと、この太陽光発電パネルを設置する取付フレームとが開示されている。この取付フレームが、屋根に据え付けられている。この取付フレームに、複数の太陽光発電パネルが取り付けられている。これにより、複数の太陽光発電パネルが、屋根の所定の範囲に据え付けられている。
【先行技術文献】
【特許文献】
【０００３】
【特許文献１】特開２０１７−１５０１８６公報
【発明の概要】
【発明が解決しようとする課題】
【０００４】
この太陽光発電パネルの一枚の重さは、一般に、１５ｋｇから２５ｋｇである。太陽光発電パネルは比較的に重い。この太陽光発電パネルが多数設置される。また、取付フレームは、多数の太陽光発電パネルを支持するため、十分な強度を要求される。十分な強度を得る観点から、この取付フレームの材料に、一般に金属が用いられている。この太陽光発電パネルや取付フレームの運搬作業及び設置作業は、重労働である。
【０００５】
また、互いに隣合う太陽光発電パネルは、コード及びコネクタを介して、接続されている。この太陽光発電パネルの数が増加すると、接続されるコード及びコネクタの数は増加する。太陽光発電パネルの数が多い場合には、これらのコードをコネクタで接続するだけで、大きな労力が必要とされる。特に、大規模の太陽光発電装置では、コードの本数が多く、接続されるコネクタの数も多い。大規模の太陽光発電装置では、コードの取り回しや、コネクタの接続にも、大きな労力が必要とされる。
【０００６】
この様に、太陽光発電装置の設置は、重労働であり、手間が係る。本発明は、フィルム型太陽電池を用いることで、太陽光発電装置の設置を容易にするものである。更に、このフィルム型太陽電池を設置する架台を工夫することで、運搬作業及び設置作業の軽減を図るものである。
【０００７】
本発明の目的は、フィルム型太陽電池の設置を容易にする架台の提供にある。
【課題を解決するための手段】
【０００８】
本発明に係る、フィルム型太陽電池架台は、帯状のフィルム型太陽電池の架台である。この架台は、上記フィルム型太陽電池の縁部を取り付ける一対の縁フレームと、それぞれの縁フレームの長手方向に一定ピッチで上記フィルム型太陽電池の縁部を取り付ける取付部とを備えている。上記一対の縁フレームは、幅方向に空間を形成して配置されている。
【０００９】
このフィルム型太陽電池架台は、上記縁フレームを２以上の複数備えている。好ましくは、このフィルム型太陽電池架台は、それぞれの縁フレームと、幅方向に隣り合う他の縁フレームとを、連結する連結フレームを備えている。
【００１０】
好ましくは、上記縁フレームは、厚さ方向に凹凸する波形形状にされている。
【００１１】
好ましくは、このフィルム型太陽電池架台は、ベースフレームを備えている。上記縁フレームは、上記ベースフレームに取り付けられている。
【００１２】
好ましくは、このフィルム型太陽電池架台は、上記縁フレームが厚さ方向に凸状に形成される上湾曲部を支持する起立支持フレームを備えている。
【００１３】
好ましくは、このフィルム型太陽電池架台は、上記縁フレームを支持する起立支持フレームと幅方向に隣り合う他の縁フレームを支持する他の起立支持フレームとを連結する起立連結フレームを、備えている。
【００１４】
本発明に係る太陽光発電装置は、帯状のフィルム形太陽電池と上記フィルム形太陽電池が取り付けられるフィルム型太陽電池架台とを備えている。
上記フィルム型太陽電池架台は、上記フィルム型太陽電池の縁部を取り付ける一対の縁フレームと、それぞれの縁フレームの長手方向に一定ピッチで上記フィルム型太陽電池の縁部を取り付ける取付部とを、備えている。上記一対の縁フレームは、幅方向に空間を形成して配置されている。
【発明の効果】
【００１５】
本発明に係るフィルム型太陽電池架台は軽量であり、設置が容易にできる。更に、この架台を長手方向に並べることで、フィルム型太陽電池の拡張が容易にできる。
【図面の簡単な説明】
【００１６】
【図１】図１は、本発明の一実施形態に係るフィルム型太陽電池架台が示された斜視図である。
【図２】図２は、図１のフィルム型太陽電池架台の一部の側面図である。
【図３】図３は、図１のフィルム型太陽電池架台の使用方法の説明図である。
【図４】図４は、図１のフィルム型太陽電池架台の使用状態が示された斜視図である。
【図５】図５は、図１のフィルム型太陽電池架台の他の使用状態が示された側面図である。
【図６】図６は、本発明に係る他のフィルム型太陽電池架台の斜視図である。
【図７】図７は、本発明に係る更に他のフィルム型太陽電池架台の斜視図である。
【図８】図８は、図７のフィルム型太陽電池架台の側面図である。
【図９】図９は、本発明に係る更に他のフィルム型太陽電池架台の一部の側面図である。
【図１０】図１０は、本発明に係る更に他のフィルム型太陽電池架台の斜視図である。
【図１１】図１１は、本発明に係る更に他のフィルム型太陽電池架台の使用方法の説明図である。
【図１２】図１２は、本発明のフィルム型太陽電池架台に適した踏み台の斜視図である。
【図１３】図１３は、図１２の踏み台の側面図である。
【図１４】図１４は、図１２の踏み台の使用状態が示された側面図である。
【図１５】図１５は、本発明のフィルム型太陽電池架台に適した、他の踏み台の斜視図である。
【発明を実施するための形態】
【００１７】
以下、適宜図面が参照されつつ、好ましい実施形態に基づいて本発明が詳細に説明される。
【００１８】
図１には、架台２が示されている。この架台２は、一対の縁フレームとしての一対の波形フレーム４、一対のベースフレーム６、複数の連結フレーム８及び複数の取付突起１０を備えている。図１の矢印Ｘは、この架台２の前後方向前向きを表し、矢印Ｙは左右方向左向きを表し、矢印Ｚは上下方向上向きを表す。
【００１９】
この架台２は、前後方向に並べられた複数のユニット１２によって、形成されている。それぞれの波形フレーム４は、ユニット１２が備える波形フレーム片１３が前後方向に並べられて形成されている。それぞれのベースフレーム６は、ユニット１２が備えるベースフレーム片１４が前後方向に並べられて形成されている。連結フレーム８の数は、並べられたユニット１２が備える一対の連結フレーム８の総数として求められる。取付突起１０の数は、並べられたユニット１２が備える取付突起１０の総数として求められる。
【００２０】
それぞれの波形フレーム４は、帯状フレームから形成されている。この波形フレーム４は、上下方向に凹凸を繰り返す波形形状に形成されている。この波形フレーム４は、上向きに突出する上湾曲部１６と、下向きに凹む下湾曲部１８と、上湾曲部１６と下湾曲部１８との間に位置して上湾曲部１６と下湾曲部１８とを接続する接続部２０とを備えている。一対の波形フレーム４は、前後方向に平行に延びている。前後方向において、一対の波形フレーム４は、互いの上湾曲部１６、下湾曲部１８及び接続部２０の位置が一致する様に、配置されている。この波形フレーム４の材質は、金属でもよく樹脂でもよい。
【００２１】
それぞれのベースフレーム６は、帯状フレームから形成されている。このベースフレーム６は、架台２の前後方向をその長手方向として、左右方向を幅方向として、延びている。一対のベースフレーム６は、平行に延びている。このベースフレーム６に、波形フレーム４が取り付けられている。波形フレーム４の下湾曲部１８が、ベースフレーム６に、接着やねじ締結等で、取り付けられている。このベースフレーム６の材質は、金属でもよく樹脂でもよい。
【００２２】
それぞれの連結フレーム８は、一対のベースフレーム６の一方と他方とを連結している。この架台２では、連結フレーム８は、帯状のフレームから形成されている。連結フレーム８は、前後方向をその幅方向として、左右方向をその長手方向として延びている。連結フレーム８は、一対のベースフレーム６に代えて、又は一対のベースフレーム６と共に、一対の波形フレーム４を連結してもよい。この連結フレーム８の材質は、金属でもよく樹脂でもよい。
【００２３】
それぞれの取付突起１０は、突起本体２２及び係合部２４を備えている。突起本体２２は、波形フレーム４の、上向きの表面４ａから上向きに突出している。突起本体２２は円柱形状を備えている。この突起本体２２の上方の先端に、係合部２４が一体に形成されている。係合部２４は、球状の形状を備えている。この突起本体２２の直径より係合部２４の直径が大きくされている。
【００２４】
図２には、この架台２の側面が示されている。図２の片矢印Ｒ１は、波形フレーム４の上湾曲部１６の曲率半径を表している。曲率半径Ｒ１は、図２において、上湾曲部１６の上方に面する表面４ａの輪郭として測定される。側片矢印Ｒ２は、波形フレーム４の下湾曲部１８の曲率半径を表している。この曲率半径Ｒ２は、下向き裏面４ｂの輪郭として測定される。この架台２では、曲率半径Ｒ１の大きさと曲率半径Ｒ２の大きさとは同じにされている。
【００２５】
図３には、この架台２を備える太陽光発電装置２６の一部の分解図が示されている。この太陽光発電装置２６は、架台２の他に、フィルム型太陽電池２８と、留め具としての複数のゴムリング３０とを備えている。
【００２６】
フィルム型太陽電池２８は、長尺の帯状の形状を備えている。フィルム型太陽電池２８の幅方向の一対の縁部２８ａには、複数の取付孔３２が形成されている。それぞれの取付孔３２は、フィルム型太陽電池２８の厚み方向に貫通している。この取付孔３２の直径は、突起本体２２の直径及び係合部２４の直径より大きい。
【００２７】
それぞれのゴムリング３０は、中央に貫通孔３０ａが形成されたリング形状を備えている。この貫通孔３０ａの直径は、突起本体２２の直径より大きく、係合部２４の直径より小さい。ゴムリング３０が弾性変形することで、ゴムリング３０の貫通孔３０ａに係合部２４を通すことが可能にされている。
【００２８】
図３の両矢印Ｐｓは、取付孔３２のピッチを表している。このピッチＰｓは、フィルム型太陽電池２８の長手方向に沿って、取付孔３２の中心間の距離として測定される。取付孔３２は、フィルム型太陽電池２８の長手方向に、ピッチＰｓで形成されている。両矢印Ｄｓは、取付孔３２の幅方向の間隔を表している。この間隔Ｄｓは、フィルム型太陽電池２８の幅方向に沿って、取付孔３２の中心間の距離として測定される。
【００２９】
両矢印Ｐｆは、取付突起１０のピッチを表している。このピッチＰｆは、波形フレーム４の表面４ａに沿って、突起本体２２の中心間の距離として測定される。両矢印Ｄｆは、取付突起１０の左右方向の間隔を表している。この間隔Ｄｆは、左右方向において、突起本体２２の中心間の直線距離として測定される。この太陽光発電装置２６では、このピッチＰｆとピッチＰｓとは同じ大きさにされており、間隔Ｄｆと間隔Ｄｓとは同じ大きさにされている。
【００３０】
図４には、架台２にフィルム型太陽電池２８が取り付けられた状態が示されている。この図４では、上下方向において、波形フレーム４と取付突起１０の係合部２４とが、フィルム型太陽電池２８とゴムリング３０とを挟み込んでいる。このフィルム型太陽電池２８は、架台２に着脱可能に取り付けられている。
【００３１】
図５には、この太陽光発電装置２６が、屋根３４に設置された状態の断面が示されている。この断面は、架台２の左右方向に垂直な断面である。図５に示される様に、この屋根３４は、台形状に繰り返し凹凸形状が形成されている。この屋根３４は、所謂、折板屋根と称される。この屋根３４は、建屋の鉄骨３６に固定されている。
【００３２】
図５の両矢印Ｐｒは、屋根３４の台形凸部３８のピッチを表している。ピッチＰｐは、波形フレーム４の下湾曲部１８に形成された取付突起１０のピッチを表している。このピッチＰｐは、一の下湾曲部１８に位置する取付突起１０と、一の下湾曲部１８に隣合う他の下湾曲部１８に位置する取付突起１０とのピッチである。この架台２では、このピッチＰｐは、屋根３４のピッチＰｒの整数倍にされている。
【００３３】
図５の屋根３４を例に、太陽光発電装置２６の設置方法が説明される。この設置方法は、架台設置工程、太陽電池設置工程及び配線工程を備えている。
【００３４】
架台設置工程では、図５に示される様に、ユニット１２は、下湾曲部１８が台形凸部３８の上に位置する様に、配置される。この様にして、屋根３４に、ユニット１２が前後方向に並べられる。これらのユニット１２が、屋根３４に固定される。この固定方法は、特に限定されないが、例えばボルト及びナット等の締結具で固定される。
【００３５】
太陽電池設置工程では、ロール状に巻回されたフィルム型太陽電池２８が準備される。このロール状に巻回されたフィルム型太陽電池２８が繰り出される。このフィルム型太陽電池２８は、架台２の前後方向を長手方向にして、架台２に載置される。フィルム型太陽電池２８の取付孔３２に取付突起１０が通される。フィルム型太陽電池２８は、架台２の一対の波形フレーム４に重ねられる。フィルム型太陽電池２８は、一対の波形フレーム４に沿って波形形状にされる。ゴムリング３０が、取付突起１０の係合部２４を通される。このゴムリング３０とフィルム型太陽電池２８とが、上下方向において波形フレーム４と係合部２４とに挟まれて、着脱可能に固定される。
【００３６】
配線工程では、図示されないが、フィルム型太陽電池２８の長手方向端部に接続されたコードが、コネクタによって接続される。このコードをコネクタで接続することで、太陽光発電装置２６は、送電可能にされている。
【００３７】
フィルム型太陽電池２８の単位面積あたりの質量は、従来の太陽光パネルのそれより、遙かに小さい。このフィルム型太陽電池２８が載置される架台２の剛性は、従来の太陽光パネル架台のそれに比べて小さくできる。この架台２では、フィルム型太陽電池２８を支持する波形フレーム４の厚さ及び幅を小さくできる。この架台２の材料として、金属を用いることもできるが、樹脂を用いることもできる。更に、この架台２は、軽量化に適しており、強度的に優れた形状を備えている。軽量化された架台２は、太陽光発電装置２６の設置作業を軽減できる。女性や高齢者等でも、太陽光発電装置２６を設置することが容易にできる。
【００３８】
更に、この方法では、フィルム型太陽電池２８は、ロール状に巻回されて準備される。架台２にロール状に巻回されたフィルム型太陽電池２８が繰り出されて、載置される。この方法は、継ぎ目のない長尺のフィルム型太陽電池２８は、容易に設置できる。継ぎ目のない長尺のフィル型太陽電池２８を設置することで、従来の太陽光パネルの様なパネル間の接続コード及び接続コネクタを削減できる。この接続コード及び接続コネクタの削減は、設置作業の簡素化に寄与する。また、この接続コード及び接続コネクタの削減は、軽量化にも寄与する。
【００３９】
フィルム型太陽電池２８及び架台２を軽量化することで、この太陽光発電装置２６は建屋への負荷荷重を軽減できる。太陽光発電装置２６は、建屋に歪みを生じさせにくい。建屋のドアなどの開閉がし難く等の不具合の発生を抑制しうる。更に、この太陽光発電装置２６は、軽量化されているので、建屋の耐震性が損なわれることも抑制しうる。
【００４０】
この架台２では、波形フレーム片１３の材質、ベースフレーム片１４の材質及び連結フレーム８の材質は、特に限定されない。しかしながら、この太陽光発電装置２６の軽量化の観点から、好ましくは、軽量な金属であり、更に好ましくは樹脂である。軽量な金属としては、例えばアルミニウム合金が例示される。樹脂としては、炭素繊維強化プラスチック、ポリカーボネート等が例示される。
【００４１】
この架台２では、フィルム型太陽電池２８の縁部２８ａを、一対の波形フレーム４で固定している。この一対の波形フレーム４は、左右方向に間隔を空けて配置されている。波形フレーム４は、フィルム型太陽電池２８を一定の形状に保持するための厚みを要する。この波形フレーム４は厚くなり易い。この架台２は、一対の波形フレーム４の間に空間を形成することで、波形フレーム４を厚くしても軽量化されうる。
【００４２】
この架台２では、波形フレーム４は複数の波形フレーム片１３が前後方向に並べられて形成されている。この架台２は、波形フレーム４の前後方向の長さを、設置スペースに合わせて調整しうる。この架台２は、フィルム型太陽電池２８の長手方向の拡張性に優れている。また、この太陽光発電装置２６では、適切な前後方向の長さで設置された架台２に、帯状のフィルム型太陽電池２８が取り付けられる。この太陽光発電装置２６では、架台２と帯状のフィルム型太陽電池２８とが別体で準備されるので、帯状のフィルム型太陽電池２８はユニット１２毎に切断することなく、前後方向において一枚の帯状のフィルム型太陽電池２８として設置しうる。この架台２は、接続コードや接続コードを接続するコネクタの数を大幅に削減できる。
【００４３】
この架台２では、縁フレームとして波形フレーム４を用いたが、これに限られない。例えば、この縁フレームとして、上下方向に平らな帯状フレームが用いられてもよい。この架台２は、ベースフレーム６を備えているが、ベースフレーム６を必ずしも備えていなくてもよい。この架台２は、連結フレーム８を備えているが、連結フレーム８を必ずしも備えていなくてもよい。波形フレーム４は、ベースフレーム６を介さずに、設置面に設置されてもよい。例えば、設置面が平面である屋上等では、設置面に一対の波形フレーム４が設置されてもよい。波形フレーム４が、間隔ＤｆとピッチＰｐと保持した姿勢で、設置面に設置されてもよい。
【００４４】
前述の様に、縁フレームは必ずしも波形フレーム４でなくともよいが、波形フレーム４であることが好ましい。波形フレーム４を用いることで、フィルム型太陽電池２８の前後方向単位長さあたりの表面積を大きくできる。この表面積の拡大は、発電量の向上に寄与しうる。また、フィルム型太陽電池２８は、波形形状にされることで、太陽が低い位置にあるときから高い位置にあるときまで効率的に発電しうる。また、フィルム型太陽電池２８の表面が波形にされることで、雨水が流れ易く雨水が溜まり難い。雨水を流れ易くする観点から、フィルム型太陽電池２８の表面の左右方向は、水平面に対して傾斜させることが好ましい。この傾斜角度は、好ましくは１°以上であり、更に好ましくは２°以上である。また、このフィルム型太陽電池２８では、波形フレーム４とベースフレーム６との間に風が通ることで、放熱性も向上しうる。
【００４５】
前述の様に、この架台２は、連結フレーム８を備えなくてもよいが、連結フレーム８を備えることが好ましい。波形フレーム４を連結フレーム８が接続することで、波形フレーム４の間隔が容易に一定に保持される。架台２の間隔Ｄｆが一定に保持される。互いに隣合う波形フレーム４の上湾曲部１６、下湾曲部１８及び接続部２０の前後方向位置が容易に一致させられる。これにより、架台２では、太陽光発電装置２６の設置が容易にできる。
【００４６】
前述の様に、この架台２は、ベースフレーム６を備えなくてもよいが、ベースフレーム６を備えることが好ましい。波形フレーム４がベースフレーム６に取り付けられることで、波形フレーム４の形状が一定に保持される。ベースフレーム６は波形フレーム４を補強する。ベースフレーム６に波形フレーム４を取り付けることで、太陽光発電装置２６の設置が容易にできる。
【００４７】
ここでは、取付部として、取付突起１０を例に説明がされたが、これに限られない。この取付部は、波形フレーム４にフィルム型太陽電池２８を取付可能であればよい。この取付部として波形フレーム４に孔が形成され、この孔とフィルム型太陽電池２８の取付孔３２とにボルトが通されてこのボルトとナットとで取り付けられてもよい。また、フィルム型太陽電池２８の取付孔３２に代えて、取付突起が形成されて、この取付突起が波形フレーム４の孔に通されて、波形フレーム４にフィルム型太陽電池２８を取り付けられてもよい。
【００４８】
また、この波形フレーム４、ベースフレーム６、連結フレーム８及び取付突起１０の一部又は全部が、一体成型されることが好ましい。金属や樹脂の一体成型によって、製造コストを削減しうる。
【００４９】
この太陽光発電装置２６は、屋根３４に限らず、一般家屋の屋根はもちろんのこと、屋上、壁、平地や斜面等の地面を含む、種々の場所に設置しうる。更に、この太陽光発電装置２６は、軽量化されているので、フロートの上に架台２を取り付けて、川、湖、海等にも設置しうる。また、軽量化されているので、船舶などに取り付けられてもよい。
【００５０】
図６には、本発明に係る他のフィルム型太陽電池架台４２が示されている。ここでは、この架台４２について、架台２と異なる構成について説明がされ、架台２と同様の構成について説明が省略される。また、架台４２について、架台２と同様の構成については、同じ符号を用いて説明がされる。
【００５１】
この架台４２は、架台２と同様に波形フレーム４を備えている。この波形フレーム４では、波形フレーム片１３の上湾曲部１６及び下湾曲部１８のそれぞれに、２本の取付突起１０が形成されている。この取付突起１０は、左右方向に並んでいる。これらの取付突起１０は、架台２と同様に、波形フレーム４と一体成型されてもよい。
【００５２】
この架台４２は、複数のユニット４６と複数の補助ユニット４８とによって形成されている。それぞれのユニット４６は、一対の波形フレーム片１３、一対のベースフレーム片１４、一対の連結フレーム８及び複数の取付突起１０から構成されている。それぞれの補助ユニット４８は、波形フレーム片１３、ベースフレーム片１４、一対の連結フレーム８及び複数の取付突起１０から構成されている。この補助ユニット４８は、ユニット４６に対して、波形フレーム片１３及びベースフレーム片１４を左右方向一方にだけ備える他は同様に構成されている。
【００５３】
複数のユニット４６が前後方向に並べられている。それぞれのユニット４６に、左右方向に隣接して補助ユニット４８が並べられている。図６では、ユニット４６に隣接する補助ユニット４８に、更に左右方向に隣接して補助ユニット４８が並べられている。この架台４２は、前後方向及び左右方向に、拡張されている。
【００５４】
この架台４２では、一の波形フレーム４に、一のフィルム型太陽電池２８の一方の縁部２８ａと、他のフィルム型太陽電池２８の他方の縁部２８ａとが取り付けられる。左右方向にフィルム型太陽電池２８が並べられるときに、この架台４２の波形フレーム４及びベースフレーム６の数は、架台２の波形フレーム４及びベースフレーム６の数に比べて、削減できる。この架台４２は、左右方向に拡張する際の軽量化に寄与しうる。
【００５５】
図７には、本発明に係る他のフィルム型太陽電池架台５２の一部が示されている。図８には、この架台５２の側面図が示されている。この架台５２について、架台２と異なる構成について説明がされ、架台２と同様の構成について説明が省略される。また、架台５２について、架台２と同様の構成については、同じ符号を用いて説明がされる。
【００５６】
この架台５２は、ユニット１２に代えて、ユニット５４によって形成されている。この架台５２は、複数の補強フレーム５６及び複数の補強連結フレーム５８を備える他は、架台２と同様に構成されている。
【００５７】
それぞれの補強フレーム５６は、波形フレーム４（波形フレーム片１３）の上湾曲部１６とベースフレーム６（ベースフレーム片１４）とを接続している。この補強フレーム５６は、上下方向に延びている。この補強フレーム５６は、上湾曲部１６を補強する。
【００５８】
それぞれの補強連結フレーム５８は、左右方向一方の補強フレーム５６と他方の補強フレーム５６とを連結する。この補強連結フレーム５８は、補強フレーム５６を補強する。これにより、この補強連結フレーム５８は、更に、上湾曲部１６を補強する。なお、この補強フレーム５６を備え、補強連結フレーム５８を備えていなくてもよい。
【００５９】
図９に示される様に、この架台５２の補強フレーム５６を第一補強フレームとして備え、更に第二補強フレーム６０を備えていてもよい。図示されないが、左右方向一方の第二補強フレーム６０と他方の第二補強フレーム６０とを連結する第二補強連結フレームを備えていてもよい。
【００６０】
この補強フレーム５６、補強連結フレーム５８、第二補強フレーム６０及び図示されない第二補強連結フレームの一部又は全部も、波形フレーム４（波形フレーム片１３）及びベースフレーム６（ベースフレーム片１４）と、又はこれらのいずれかと一体成型されてもよい。
【００６１】
図１０には、本発明に係る更に他のフィルム型太陽電池架台６２の一部が示されている。この架台６２について、架台２と異なる構成について説明がされ、架台２と同様の構成について説明が省略される。また、架台６２について、架台２と同様の構成については、同じ符号を用いて説明がされる。
【００６２】
この架台６２は、補助支持フレーム６４を備えている。補助支持フレーム６４は、帯状フレームから形成されている。この補助支持フレーム６４は、上下方向に凹凸を繰り返す波形形状に形成されている。
【００６３】
この架台６２は、架台２のユニット１２に代えてユニット６６を備えている。このユニット６６は、補助支持フレーム片６７を備える他は、ユニット１２と同様に構成されている。この補助支持フレーム片６７は、左右方向において、一対の波形フレーム片１３の間に位置している。この補助支持フレーム片６７は、取付突起１０を形成されていない他は、波形フレーム片１３と同様に構成されている。複数のユニット６６が並べられて、複数の補助支持フレーム片６７が前後方向に連続して、補助支持フレーム６４が形成される。
【００６４】
この補助支持フレーム６４は、上向きに突出する上湾曲部６８と、下向きに凹む下湾曲部７０と、上湾曲部６８と下湾曲部７０との間に位置して上湾曲部６８と下湾曲部７０とを接続する接続部７２とを備えている。この補助支持フレーム６４は、波形フレーム４と並行に前後方向に延びている。前後方向において、補助支持フレーム６４の上湾曲部６８、下湾曲部７０及び接続部７２の位置は、波形フレーム４の上湾曲部１６、下湾曲部１８及び接続部２０の位置と一致している。この補助支持フレーム６４の材質は、金属でもよく樹脂でもよい。この補助支持フレーム６４は、連結フレーム８と一体成型されてもよい。
【００６５】
この架台６２は、補助支持フレーム６４を備えることで、フィルム型太陽電池２８の幅方向の撓みを抑制しうる。この架台６２は、フィルム型太陽電池２８を安定に支持しうる。この補助支持フレーム６４は、幅の広いフィルム型太陽電池２８の支持に適している。
【００６６】
図１１には、本発明に係る更に他のフィルム型太陽電池架台７４を備える太陽光発電装置７６の一部が示されている。この太陽光発電装置７６は、架台７４を備える他は、太陽光発電装置２６と同様に構成されている。この架台７４について、架台２と異なる構成について説明がされ、架台２と同様の構成について説明が省略される。また、太陽光発電装置７６について、太陽光発電装置２６と同様の構成については、同じ符号を用いて説明がされる。
【００６７】
この架台７４は、シート７８を備える他は、架台２と同様に構成されている。このシート７８は、長尺の帯状の形状を備えている。シート７８の幅方向の一対の縁部７８ａには、複数の取付孔８０が形成されている。それぞれの取付孔８０は、シート７８の厚み方向に貫通している。この取付孔８０の直径は、突起本体２２の直径及び係合部２４の直径より大きい。
【００６８】
図１１の両矢印Ｐｔは、取付孔８０のピッチを表している。このピッチＰｔは、シート７８の長手方向に沿って、取付孔８０の中心間の距離として測定される。取付孔８０は、シート７８の長手方向に、ピッチＰｔで形成されている。両矢印Ｄｔは、取付孔８０の幅方向の間隔を表している。この間隔Ｄｔは、シート７８の幅方向に沿って、取付孔８０の中心間の距離として測定される。このピッチＰｔはフィルム型太陽電池２８のピッチＰｓと同じであり、間隔Ｄｔはフィルム型太陽電池２８の間隔Ｄｓと同じである。
【００６９】
この太陽光発電装置７６では、シート７８が、上下方向においてフィルム型太陽電池２８と波形フレーム４との間に位置している。このシート７８は、フィルム型太陽電池２８を支持する。このシート７８は、フィルム型太陽電池２８を補強する。このシート７８を備えることで、より薄く軽量化されたフィルム型太陽電池２８の設置に適している。このシート７８の材質は、特に限定されないが、波形フレーム４の形状に沿って変形可能であり、かつフィルム型太陽電池２８を支持する強度を備える材質であればよい。このシート７８の材質は、例えば、炭素繊維強化プラスチック、ポリカーボネート等の樹脂が例示される。
【００７０】
この太陽光発電装置７６の設置方法は、架台設置工程、太陽電池設置工程及び配線工程を備えている。この架台設置工程及び配線工程は、太陽光発電装置２６のそれらと同様であり、その説明は省略される。
【００７１】
太陽電池設置工程では、ロール状に巻回されたシート７８と、ロール状に巻回されたフィルム型太陽電池２８とが準備される。このロール状に巻回されたシート７８が繰り出される。このシート７８は、波形フレーム４の延びる方向に沿って、波形フレーム４に載置される。シート７８の取付孔８０に取付突起１０が通される。シート７８は、一対の波形フレーム４に重ねられる。シート７８は、一対の波形フレーム４に沿って波形形状にされる。
【００７２】
ロール状に巻回されたフィルム型太陽電池２８が繰り出される。このフィルム型太陽電池２８は、架台２の前後方向を長手方向にして、シート７８に載置される。フィルム型太陽電池２８の取付孔３２に取付突起１０が通される。フィルム型太陽電池２８は、シート７８に重ねられる。フィルム型太陽電池２８は、シート７８に沿って波形形状にされる。
【００７３】
ゴムリング３０が、取付突起１０の係合部２４を通される。このゴムリング３０とフィルム型太陽電池２８とシート７８とが、上下方向において波形フレーム４と係合部２４とに挟まれて、着脱可能に固定される。
【００７４】
この方法では、波形フレーム４を備えることで、軽量化に適しており、強度的に優れている。更に、太陽光発電装置７６では、シート７８とシート７８以外部分とが別々に運搬され、設置される。この太陽光発電装置７６の設置方法は、運搬及び設置の際に、架台７４が重くなることが抑制され、また運び難くなることが抑制されている。この設置方法は、設置作業を軽減しうる。
【００７５】
更に、シート７８は、その内部に流体の流路が形成されていてもよい。例えば、流路に空気や水を流すことで、フィルム型太陽電池２８を冷却しうる。この冷却により、フィルム型太陽電池２８が高温になり、発電効率が低下することを抑制しうる。また、流路に温水を流すことで、フィルム型太陽電池２８を加温しうる。この加温により、フィルム型太陽電池２８に積もった雪を溶かしうる。また、シート７８の内部にヒータが内蔵されてもよい。また、シート７８の内部に反射板が内蔵されてもよい。例えばアルミ製反射板が内蔵されてもよい。反射板を内蔵することにより、両面で発電可能なフィルム型太陽電池２８では、その発電効率を向上しうる。
【００７６】
図１２には、太陽光発電装置２６の設置や点検に用いられる、踏台８２が示されている。図１２において、矢印Ｘは踏台８２の前後方向前向きを、同様に矢印Ｙは左右方向左向きを、矢印Ｚは上下方向上向きを表している。
【００７７】
この踏台８２は、踏板８４及び湾曲凸部８６を備えている。湾曲凸部８６は、凸形成部８８及び保護部９０を備えている。図１２では、踏板８４の表面８４ａは下向きにされ、その裏面８４ｂが上向きに示されている。踏板８４は、人の体重を支える強度を備えている。凸形成部８８の材質はその形状を保持し軽い材質が好ましい。この材質は、例えば発泡スチロールが挙げられる。保護部９０の材質はクッション性に優れることが好ましい。この材質は、例えばスポンジが挙げられる。踏板８４の裏面８４ｂに、裏面８４ｂから突出する向きに湾曲凸部８６が形成されている。この踏台８２では、一対の湾曲凸部８６が形成されている。
【００７８】
図１３には、この踏台８２の側面が示されている。それぞれの湾曲凸部８６は、波形フレーム４の下湾曲部１８及び接続部２０における表面４ａに沿った形状を備えている。図１３の点Ｔは湾曲凸部８６において踏板８４から最も離れる頂点を表している。一点鎖線Ｌｂは、この点Ｔを通って踏板８４に直交する直線を表している。両矢印Ｐｂは、湾曲凸部８６のピッチを表している。このピッチＰｂは、前号方向において直線Ｌｂ間の直線距離として測定される。このピッチＰｂは、架台２のピッチＰｐの整数倍にされている。
【００７９】
図１４には、この踏台８２の使用状態が、太陽光発電装置２６と共に示されている。この踏台８２の一対の湾曲凸部８６が、前後方向において、フレーム４の下湾曲部１８の位置に位置している。この保護部９０は、取付突起１０の形状に沿って変形する。この踏台８２では、ピッチＰｂはピッチＰｐの２倍にされている。作業者は、この踏台８２の上を歩くことで、フィルム型太陽電池２８に損傷を生じることが抑制される。この踏台８２は、フィルム型太陽電池２８の設置や点検の際の作業を容易にしうる。
【００８０】
作業又は点検をする作業者を安定的に支持する観点から、湾曲凸部８６の数は２以上の複数が好ましい。一方で、携帯性の観点から、図１５に示される様に、踏台８２に代えて、踏台９２が用いられてもよい。この踏台９２は、踏板９４に一つの湾曲凸部９６が形成されている。
【産業上の利用可能性】
【００８１】
以上説明された架台は、フィルム型太陽電池を取り付ける架台として広く適用されうる。
【符号の説明】
【００８２】
２、４２、５２、６２、７４・・・架台
４・・・波形フレーム
６・・・ベースフレーム
８・・・連結フレーム
１０・・・取付突起
１２、４６、５４、６６・・・ユニット
１３・・・波形フレーム片
１４・・・ベースフレーム片
１６、６８・・・上湾曲部
１８、７０・・・下湾曲部
２２・・・突起本体
２４・・・係合部
２６、７６・・・太陽光発電装置
２８・・・フィルム型太陽電池
３０・・・ゴムリング
３２・・・取付孔
３４・・・屋根
４８・・・補助ユニット
５６・・・補強フレーム
５８・・・補強連結フレーム
６０・・・第二補強フレーム
６４・・・補助支持フレーム
７８・・・シート
８０・・・取付孔
８２、９２・・・踏台
【図１】
2019085697.tif 000003
【図２】
2019085697.tif 000004
【図３】
2019085697.tif 000005
【図４】
2019085697.tif 000006
【図５】
2019085697.tif 000007
【図６】
2019085697.tif 000008
【図７】
2019085697.tif 000009
【図８】
2019085697.tif 000010
【図９】
2019085697.tif 000011
【図１０】
2019085697.tif 000012
【図１１】
2019085697.tif 000013
【図１２】
2019085697.tif 000014
【図１３】
2019085697.tif 000015
【図１４】
2019085697.tif 000016
【図１５】
2019085697.tif 000017
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
継ぎ目のない長尺の帯状のフィルム型太陽電池の架台であって、
上記フィルム型太陽電池の長手方向に直交する幅方向端部に位置する縁部を取り付ける一対の縁フレームと、それぞれの縁フレームの長手方向に一定のピッチで上記フィルム型太陽電池の上記縁部を取り付ける取付部とを備えており、
上記一対の縁フレームが上記幅方向に空間を形成して配置されており、
それぞれの縁フレームが厚さ方向に凹凸する波形形状にされており、
上記フィルム型太陽電池の長手方向に並べられた複数のユニットから形成されており、
それぞれのユニットが上記フィルム型太陽電池の長手方向に並べられて上記縁フレームを形成するフレーム片と、上記フレーム片と幅方向に隣合う他の上記フレーム片とを幅方向に空間を形成して連結する連結フレームとを備えているフィルム型太陽電池架台。
【請求項２】
ベースフレームを備えており、
上記縁フレームが上記ベースフレームに取り付けられており、
上記ユニットが上記フィルム型太陽電池の長手方向に並べられて上記ベースフレームを形成するベースフレーム片を備えている請求項１に記載のフィルム型太陽電池架台。
【請求項３】
上記ユニットが樹脂からなる請求項１又は２に記載のフィルム型太陽電池架台。
【請求項４】
上記縁フレームが厚さ方向に凸状に形成される上湾曲部を支持する起立支持フレームを備えている請求項１から３のいずれかに記載のフィルム型太陽電池架台。
【請求項５】
上記縁フレームを支持する起立支持フレームと、幅方向に隣り合う他の縁フレームを支持する他の起立支持フレームとを、連結する起立連結フレームを備えている請求項４に記載のフィルム型太陽電池架台。
【請求項６】
台形状に繰り返し凹凸形状が形成されている折板屋根に設置される上記架台であって、
上記縁フレームの下湾曲部の取付部のピッチＰｐが上記折板屋根の台形凸部のピッチＰｒの整数倍にされている請求項１から５のいずれかに記載のフィルム型太陽電池架台。
【請求項７】
継ぎ目のない長尺の帯状のフィルム型太陽電池と上記フィルム型太陽電池が取り付けられるフィルム型太陽電池架台とを備える太陽光発電装置であって、
上記フィルム型太陽電池の長手方向に直交する幅方向端部に位置する縁部を取り付ける一対の縁フレームと、それぞれの縁フレームの長手方向に一定のピッチで上記フィルム型太陽電池の上記縁部を取り付ける取付部とを備えており、
上記一対の縁フレームが上記幅方向に空間を形成して配置されており、
それぞれの縁フレームが厚さ方向に凹凸する波形形状にされており、
上記フィルム型太陽電池の長手方向に並べられた複数のユニットから形成されており、
それぞれのユニットが上記フィルム型太陽電池の長手方向に並べられて上記縁フレームを形成するフレーム片と、上記フレーム片と幅方向に隣合う他の上記フレーム片とを幅方向に空間を形成して連結する連結フレームとを備えている、太陽光発電装置。